(57)【要約】【課題】非常時専用の光源を必要とせず、バッテリ電源の消費電力を節約可能な屋外用照明装置を提供する。【解決手段】周囲の明るさに応じて光源３を点灯又は消灯する屋外用照明装置１００において、商用電源１からの電力供給により光源３を点灯する点灯回路１４と、商用電源１の電力を蓄電するバッテリ電源１６と、商用電源１の電力供給が停止したときに、バッテリ電源１６の蓄電電力により光源３を非常点灯する非常点灯回路１８と、周囲の明るさを検出する受光センサ３８と、受光センサ３８が明るさを検出した場合、蓄電電力による光源３の非常点灯を停止する非常点灯停止部３０と、を備える。【選択図】図１
2012248446.tif 000002
【特許請求の範囲】
【請求項１】
周囲の明るさに応じて光源を点灯又は消灯する屋外用照明装置において、
商用電源からの電力供給により前記光源を点灯する点灯回路と、
前記商用電源の電力を蓄電するバッテリ電源と、
前記商用電源の電力供給が停止したときに、前記バッテリ電源の蓄電電力により前記光源を非常点灯する非常点灯回路と、
周囲の明るさを検出する受光センサと、
前記受光センサが明るさを検出した場合、蓄電電力による前記光源の非常点灯を停止する非常点灯停止部と、
を備えたことを特徴とする屋外用照明装置。
【請求項２】
前記バッテリ電源を充電する太陽電池を備え、夜間は前記バッテリ電源の太陽電池による充電を停止することを特徴とする請求項１に記載の屋外用照明装置。
【請求項３】
前記光源がＬＥＤであることを特徴とする請求項１又は２に記載の屋外用照明装置。
【発明の詳細な説明】
【技術分野】
【０００１】
本発明は、周囲の明るさに応じて点灯又は消灯する屋外用照明装置に関する。
【背景技術】
【０００２】
従来、周囲が暗くなるとランプ（光源）を点灯し、周囲が明るくなるとランプを消灯する屋外用照明装置が知られている（例えば、特許文献１参照）。この屋外用照明装置は、商用電源から電力が供給されて点灯する第１のランプとは別に、太陽電池で充電されるバッテリ電源から電力が供給されて点灯する第２のランプを備え、商用電源の停電時に第２のランプを点灯する。
【先行技術文献】
【特許文献】
【０００３】
【特許文献１】特開平１０−７９２０１号公報
【発明の概要】
【発明が解決しようとする課題】
【０００４】
しかしながら、上記従来の構成では、常時に点灯する第１のランプとは別に非常時に点灯する第２のランプを必要とするため、部品点数が増加するという問題がある。また、商用電源の停電時に、光源の電力供給をバッテリ電源に切り替える屋外用照明装置が提案されているが、この屋外用照明装置では、光源の電力供給をバッテリ電源に切り替えた場合、周囲の明るさに係わらず光源が点灯されるため、昼間にバッテリ電源の電力が使用されてしまい、夜間に光源を点灯できないおそれがある。
本発明は、上述した事情に鑑みてなされたものであり、非常時専用の光源を必要とせず、バッテリ電源の消費電力を節約可能な屋外用照明装置を提供することを目的とする。
【課題を解決するための手段】
【０００５】
上記目的を達成するために、本発明は、周囲の明るさに応じて光源を点灯又は消灯する屋外用照明装置において、商用電源からの電力供給により前記光源を点灯する点灯回路と、前記商用電源の電力を蓄電するバッテリ電源と、前記商用電源の電力供給が停止したときに、前記バッテリ電源の蓄電電力により前記光源を非常点灯する非常点灯回路と、周囲の明るさを検出する受光センサと、前記受光センサが明るさを検出した場合、蓄電電力による前記光源の非常点灯を停止する非常点灯停止部と、を備えたことを特徴とする。
【０００６】
上記構成において、前記バッテリ電源を充電する太陽電池を備え、夜間は前記バッテリ電源の太陽電池による充電を停止してもよい。
【０００７】
上記構成において、前記光源はＬＥＤであってもよい。
【発明の効果】
【０００８】
本発明によれば、商用電源から光源への電力供給が停止したときに、バッテリ電源の蓄電電力により光源を非常点灯するため、非常時専用の光源を必要としない。
また受光センサが明るさを検出した場合、蓄電電力による光源の非常点灯を停止するため、周囲が明るいときにバッテリ電源の消費電力を節約できる。
日照のあるときに、太陽電池からもバッテリ電源に充電を行うので、非常点灯時の放電持続時間を長く設定できる。
【図面の簡単な説明】
【０００９】
【図１】本発明の実施の形態に係る防犯灯の構成を示す回路図である。
【図２】点灯動作を示すフローチャートである。
【図３】太陽電池による充電動作を示すフローチャートである。
【図４】充電停止動作を示すフローチャートである。
【図５】放電停止動作を示すフローチャートである。
【図６】防犯灯の外観構成の一例を示す斜視図である。
【発明を実施するための形態】
【００１０】
以下、図面を参照して本発明の実施の形態について説明する。以下の説明では、屋外用照明装置として、屋外に立設した電柱などの支柱に取り付けられて街路面を照明する防犯灯について例示する。
図１は、本実施の形態に係る防犯灯の構成を示す回路図である。
防犯灯１００は、交流の商用電源１に接続され、この商用電源１から電力が供給されると共に、この商用電源１の稼動が停止した場合には、バッテリ電源１６から電力が供給される。商用電源１には、点滅器２を介して電源装置１０及び光源３が接続される。点滅器２は、周囲の明るさが防犯用の点灯閾値以下となった場合に作動して電源装置１０に商用電源１の電源電圧を出力する。電源装置１０は、３つの入力端子Ｔ１〜Ｔ３を備えた３線式に構成されており、この構成により、周囲が明るい時にも（点滅器２の停止の時にも)バッテリ電源１６の充電が可能となる。光源３は、１又は複数（本実施の形態では、６つ）のＬＥＤ４を備えている。
【００１１】
一般に、防犯灯には明るさ及び配光の基準が定められており、上記電源装置１０は、この基準を満足するようにＬＥＤ４を点灯させる。係る基準について詳細には、防犯効果が得られる明るさの基準は、歩行者交通量によって異なり、防犯灯としては、少なくとも歩行者交通量の少ない場合の基準値を満たすことが推奨されている。歩行者交通量の少ない場合の明るさの基準は、街路の路面の明るさの平均が３ルクス以上であり、街路の中心軸上で路面からの高さが１．５ｍ（メートル）のところの鉛直面照度が０．５ルクスであり、さらに、４ｍ（メートル）先の歩行者の挙動などが視認可能な程度であることである。
すなわち、上記光源３のＬＥＤ４は、防犯灯１００から４ｍ（メートル）遠方においても歩行者の挙動が十分に視認可能な照度を達成する輝度、及び、配光を有している。このように防犯灯においては遠方にも照射光が到達するため、防災時に点灯させることで経路の誘導効果を生じさせることができる。
【００１２】
商用電源１の活性側は、点滅器２の黒線２Ａに接続され、点滅器２の赤線２Ｂから電源装置１０の入力端子Ｔ１に接続される。また、商用電源１の活性側は、電源装置１０の入力端子Ｔ２に接続される。商用電源１の接地側は点滅器２の白線２Ｃ及び電源装置１０の入力端子Ｔ３へ接続される。なお、図１中、符号Ｇ１、Ｇ２は接地である。
電源装置１０の入力端子Ｔ２，Ｔ３には、商用電源１の電源電圧からノイズを除去するとともに突入電流を抑制する入力回路１１、ノイズが除去された電源電圧を直流電圧に整流して出力する整流平滑部１２、直流電圧を４回路出力するスイッチング電源１３が接続される。入力回路１１と入力端子Ｔ２の間には、商用電源１からの過度の電流入力から回路を保護する保護回路としてのヒューズ７１が介挿されている。
【００１３】
スイッチング電源１３の出力側には、商用電源１からの電力を光源３に供給して光源３を点灯（常時点灯）する点灯回路１４が接続されている。点灯回路１４は、逆電流を防止するためのダイオード７２を介して光源３に接続されるとともに、後述の非常点灯回路１８の出力端に接続されている。
点灯回路１４と点滅器２の赤線２Ｂの間は、フォトカプラにより構成されていて、点灯制御部１５が点灯回路１４に信号により接続される。点灯制御部１５は、点灯回路１４を制御する回路であり、点滅器２の作動時に点灯回路１４を作動する。
【００１４】
また、スイッチング電源１３の出力側には、スイッチング電源１３から出力された直流電圧をバッテリ電源１６に印加してバッテリ電源１６を充電する充電回路１７が接続される。充電回路１７には、充電状態をモニタリングするために、ＬＥＤ７３が設けられている。スイッチング電源１３からの出力電圧がＬＥＤ７３の駆動閾値をこえている間、すなわち、バッテリ電源１６が充電されている間、ＬＥＤ７３が点灯し、充電が行われていることを報知する。充電回路１７は、逆電流を防止するためのダイオード７４を介してバッテリ電源１６に接続される。
バッテリ電源１６は、商用電源１から光源３への電力供給が停止したときに光源３を点灯させるための電力を蓄電する。このバッテリ電源１６には、例えばニッケル・カドミウムバッテリやニッケル水素バッテリ等が好適に用いられる。
【００１５】
バッテリ電源１６には、バッテリ電源１６の電力を光源３に供給して光源３を点灯（非常点灯）する非常点灯回路１８と、バッテリ電源１６の電圧を検出（監視）するバッテリ電圧検出回路２０とが接続されている。バッテリ電圧検出回路２０は、バッテリ電源１６の電圧が所定の過充電保護電圧以上になると、充電回路１７を停止することにより、バッテリ電源１６への電力の供給を停止する。この過充電保護電圧は、バッテリ電源１６の種類に応じた満充電電圧よりも低い値に設定された電圧である。すなわち、バッテリ電圧検出回路２０は、バッテリ電源１６の過充電を防止する過充電防止手段として機能する。
【００１６】
具体的には、バッテリ電圧検出回路２０は、フォトカプラを構成するダイオード２４と、トランジスタ（スイッチ素子）２５と、定電圧ダイオード２６と、抵抗２７〜２９とを備えている。トランジスタ２５のエミッタ端子はグランドに接続され、コレクタ端子はダイオード２４に接続され、ベース端子は定電圧ダイオード２６に接続される。定電圧ダイオード２６はバッテリ電源１６に並列に接続される。
従って、バッテリ電源１６の電圧が過充電保護電圧以上になり、定電圧ダイオード２６に掛かる電圧がそのツェナー電圧を上回ると、トランジスタ２５がオンになり、ダイオード２４がオンとなる。ダイオード２４がオンになると、バッテリ電圧検出回路２０は、充電回路１７に信号を出力して充電回路１７を停止し、これにより、バッテリ電源１６への電力の供給が停止される。
【００１７】
電源装置１０は、切替制御部１９と、この切替制御部１９の指示に基づいて、商用電源１とバッテリ電源１６との間で選択的に電源を切り替える切替回路３０とを備えている。切替制御部１９は、整流平滑部１２の出力側と、ダイオード７５及び抵抗７６を介して点灯制御部１５の出力側とに接続されるとともに、ダイオード７７を介してスイッチング電源１３に接続され、当該整流平滑部１２及び点灯制御部１５の出力電圧を監視し、これらの出力電圧に基づいて、切替回路３０に電源の切り替えを指示する。より詳細には、整流平滑部１２及び点灯制御部１５の出力電圧が所定値以上である間、切替制御部１９は、切替回路３０に信号を出力し、切替回路３０に電源として商用電源１を選択するよう指示する。一方、整流平滑部１２及び点灯制御部１５の出力電圧が所定値を下回った場合、すなわち、商用電源１からの電力供給が停止等した場合、切替制御部１９は、切替回路３０への信号の出力を停止し、切替回路３０に電源としてバッテリ電源１６を選択するよう指示する。
【００１８】
切替回路３０は、切替制御部１９から信号が出力されている間、非常点灯回路１８を停止するものであり、具体的には、トランジスタ（スイッチ素子）３１と、定電圧ダイオード３２と、抵抗３３と、サイリスタ３４と、フォトカプラを構成して切替制御部１９からの信号出力の有無に応じてオン／オフするフォトトランジスタ３５と、キャパシタ３６と、抵抗３７と、周囲の明るさを検出するとオンになる受光センサ３８とを備えている。トランジスタ３１のエミッタ端子が充電回路１７とバッテリ電源１６との接続端に接続され、コレクタ端子が非常点灯回路１８に接続され、ベース端子が定電圧ダイオード３２及び抵抗３３を介してサイリスタ３４に接続される。サイリスタ３４のゲート端子は、フォトトランジスタ３５を介してグランドに接続される。フォトトランジスタ３５には、キャパシタ３６と、抵抗３７及び受光センサ３８とが並列に接続される。抵抗３７は、バッテリ電源１６と非常点灯回路１８との接続端に接続されてバッテリ電源１６の電圧が印加されており、この抵抗３７に受光センサ３８が直列に接続される。
【００１９】
従って、商用電源１の正常時に切替制御部１９から信号が出力されフォトトランジスタ３５がオンになると、サイリスタ３４のゲート端子の電圧が一定値以下になり、トランジスタ３１がオフになる。これにより、非常点灯回路１８が停止し、商用電源１の電力が光源３に供給されて、光源３の点灯が常時点灯に切り替わる。
一方、商用電源１の停電に伴い切替制御部１９からの信号出力が停止してフォトトランジスタ３５がオフになると、サイリスタ３４がオンになり、トランジスタ３１がオンになる。これにより、非常点灯回路１８が作動し、バッテリ電源１６の電力が光源３に供給されて、光源３の点灯が非常点灯に切り替わる。
【００２０】
光源３の非常点灯中、受光センサ３８が明るさを検出してオンになると、サイリスタ３４のゲート端子の電圧が一定値以下になり、トランジスタ３１がオフになる。これにより、非常点灯回路１８が停止し、光源３が消灯する。すなわち、切替回路３０は、周囲が明るい場合にバッテリ電源１６による光源３の非常点灯を停止する非常点灯停止部として機能する。
また、光源３の非常点灯によりバッテリ電源１６の放電が進み、バッテリ電源１６の電圧が放電遮断電圧を下回り、定電圧ダイオード３２に掛かる電圧がそのツェナー電圧以下になると、サイリスタ３４の主回路（アノード、カソード間）の電流が保持電流以下となり、トランジスタ３１がオフになる。これにより、非常点灯回路１８が停止してバッテリ電源１６の放電が停止する。放電遮断電圧は、バッテリ電源１６が終止電圧を超えて放電する状態、いわゆる過放電状態に至るのを防止する電圧であり、終止電圧を下回らない電圧に設定されている。すなわち、切替回路３０は、バッテリ電源１６の電圧がバッテリ電源１６の過放電を防止する過放電防止手段として機能する。
【００２１】
また、電源装置１０は、バッテリ電源１６を太陽電池５により充電する機能を実現するための回路を備えている。この回路は、太陽電池５が出力した電圧を昇圧する昇圧回路５１と、逆電流を防止するためのダイオード５２と、昇圧された電圧からノイズを除去するキャパシタ５３と、電圧を安定化する定電圧制御回路５４と、昼夜判別回路４０とを備えて構成されている。定電圧制御回路５４は、キャパシタ５５を介して昼夜判別回路４０に接続されている。
【００２２】
昼夜判別回路４０は、周囲の明るさにより昼夜を判別し、日照のある昼間のみ太陽電池５によりバッテリ電源１６の充電を行い、日照のない夜間には太陽電池５によるバッテリ電源１６の充電を停止する。具体的には、昼夜判別回路４０は、周囲の明るさを検出するとオンになる受光センサ４１と、抵抗４２，４３と、トランジスタ（スイッチ素子）４４と、抵抗４５，４６と、トランジスタ（スイッチ素子）４７とを備えている。受光センサ４１は、バッテリ電源１６に接続されるとともに、抵抗４２を介してトランジスタ４７のベース端子に接続される。トランジスタ４７のベース端子は抵抗４３を介してグランドに接続され、エミッタ端子はグランドに接続され、コレクタ端子は抵抗４６に接続される。この抵抗４６は、トランジスタ４４のベース端子に接続される。トランジスタ４４のエミッタ端子は、バッテリ電源１６と受光センサ４１の接続端に接続され、コレクタ端子は上記キャパシタ５５に接続される。
【００２３】
従って、周囲が明るく、受光センサ４１がオンの場合、トランジスタ４４，４７が共にオンになり、太陽電池５からバッテリ電源１６へ電圧が印加されてバッテリ電源１６が充電される。
一方、周囲が暗くなって受光センサ４１がオフになると、トランジスタ４４，４７が共にオフになり、太陽電池５からバッテリ電源１６への電圧の印加が遮断されてバッテリ電源１６の充電は停止する。
【００２４】
図２は、点灯動作を示すフローチャートである。
電源投入に伴って商用電源１から商用電力が入力されると（ステップＳ１）、切替制御部１９により商用電源１の電圧が監視され、当該電圧に基づいて商用電源１が正常か否かが判定される（ステップＳ２）。
商用電源１が正常である場合（ステップＳ２：Ｙｅｓ）、防犯灯１００は、バッテリ電源１６の充電を開始し（ステップＳ３）、バッテリ電源１６の充電が例えば所定時間継続すると（ステップＳ４）、ステップＳ２に戻って判定を行う。
【００２５】
また、商用電源１が正常である場合（ステップＳ２：Ｙｅｓ）、点滅器２により周囲の明るさが検出され、昼夜の判定（明るさ判定）が行われる（ステップＳ５）。そして、防犯灯１００は、昼間（明るい）と判定された場合（ステップＳ５：昼）、光源３の点灯は行わずに消灯したままとし（ステップＳ６）、夜間（暗い）と判定された場合（ステップＳ５：夜）、点灯回路１４を介して光源３に電力を供給し、当該光源３を点灯させる（常時点灯）（ステップＳ７）。
【００２６】
一方、災害発生等で商用電源１の電力供給に異常が検出され（ステップＳ２：Ｎｏ）、商用電源１が停電になると（ステップＳ８）、防犯灯１００は、切替回路３０が光源３への電力供給を非常点灯回路１８に切り替え、そして、受光センサ３８により検出された周囲の明るさに基づいて光源３を点灯するか否かが判定される（ステップＳ９）。
周囲が夜間のように暗い場合（ステップＳ９：夜）、防犯灯１００は、バッテリ電源１６に蓄電された電力で光源３を点灯させる（非常点灯）（ステップＳ１０）。このように、商用電源１の状態に応じて、光源３への電力供給を商用電源１とバッテリ電源１６との間で切り替えるため、非常時専用の光源を必要としない。
周囲が昼間のように明るい場合（ステップＳ９：昼）、防犯灯１００は、光源３の点灯は行わない（ステップＳ１１）。このように、周囲が明るい場合に、バッテリ電源１６による光源３の非常点灯を停止するため、バッテリ電源１６の消費電力を節約できる。
【００２７】
図３は、太陽電池５による充電動作を示すフローチャートである。
まず、受光センサ４１により検出された周囲の明るさに基づいて、太陽電池５が生成した電力をバッテリ電源１６に蓄電するか否かが判定される（ステップＳ１１）。
周囲が昼間のように所定値よりも明るい場合（ステップＳ１１：昼）、防犯灯１００は、太陽電池５によりバッテリ電源１６を充電する（ステップＳ１２）。したがって、災害時等に商用電源１の停電が継続する場合にも、昼間に太陽電池５によりバッテリ電源１６が充電されるので、夜間に光源３を点灯できる。
【００２８】
一方、周囲が夜間のように所定値よりも暗い場合（ステップＳ１１：夜）、防犯灯１００は、太陽電池５によるバッテリ電源１６の充電は行わない（ステップＳ１３）。このように、日照のない夜間に太陽電池５によるバッテリ電源１６の充電を停止するため、太陽電池５によりバッテリ電源１６を充電するための回路（例えば、昇圧回路５１や定電圧制御回路５４）の夜間の消費電力を節約し、バッテリ電源１６の電力の消耗を少なくできる。
【００２９】
図４は、充電停止動作を示すフローチャートである。
防犯灯１００は、電源投入に伴って商用電源１から商用電力が入力されると（ステップＳ２１）、この商用電力によりバッテリ電源１６の充電を開始する（ステップＳ２２）。そして、バッテリ電圧検出回路２０によりバッテリ電源１６の電圧が監視され、当該電圧に基づいてバッテリ電源１６が過充電か否かが判定される（ステップＳ２３）。
バッテリ電圧検出回路２０は、バッテリ電源１６が過充電になるまで待機し（ステップＳ２３：Ｎｏ）、バッテリ電源１６が過充電になると（ステップＳ２３：Ｙｅｓ）、充電回路１７を停止し、バッテリ電源１６の充電を停止する（ステップＳ２４）。このように、バッテリ電源１６の過充電を防止するため、バッテリ電源１６の寿命が長くなり、バッテリ電源１６のメンテナンス及びランニングコストが低減する。
【００３０】
図５は、放電停止動作を示すフローチャートである。
商用電源１の電源が遮断され（停電）（ステップＳ３１）、非常点灯回路１８の動作によりバッテリ電源１６の電力が光源３に供給されてバッテリ電源１６の放電が開始すると（ステップＳ３２）、切替回路３０によりバッテリ電源１６の電圧が監視され、当該電圧に基づいてバッテリ電源１６が過放電か否かが判定される（ステップＳ３３）。
切替回路３０は、バッテリ電源１６が過放電になるまで待機し（ステップＳ３３：Ｎｏ）、バッテリ電源１６が過放電になると（ステップＳ３３：Ｙｅｓ）、非常点灯回路１８を停止してバッテリ電源１６の放電を停止する（ステップＳ３４）。このように、バッテリ電源１６の過放電を防止するため、バッテリ電源１６の寿命が長くなり、バッテリ電源１６のメンテナンス及びランニングコストが低減する。
【００３１】
図６は、防犯灯１００の外観構成の一例を示す斜視図である。
防犯灯１００は、屋外に立設した支柱の一例たる電柱６に取り付けられ街路を照明するものであり、本体８１を有している。この本体８１は、電柱６の外周面に沿った円弧を描くように屈曲し、全体的に底面視略扇型に形成され、その背面側に設けられた金属帯状の取付バンド（図示せず）で電柱６に縛り付けられている。本体８１には、点滅器２（図１）、電源装置１０（図１）、及び光源３が内蔵されている。
本体８１内部は仕切板８２により上下に仕切られ、上側の空間に点滅器２及び電源装置１０が内蔵され、下側の空間には光源３が配置される。本体８１の下面には投光開口８３が開口し、この投光開口８３から街路面に向けて照射光が照射される。この投光開口８３には、下側の空間を覆う光透過性のグローブ８４が取り付けられている。
【００３２】
光源３は、円弧に沿って配列された第１、第２及び第３ＬＥＤユニット３Ａ〜３Ｃと、これら第１〜第３ＬＥＤユニット３Ａ〜３Ｃを固定するユニット取付部８５とを有している。これら第１〜第３ＬＥＤユニット３Ａ〜３Ｃは、それぞれアクリル樹脂などの樹脂材を砲弾型に形成してなるレンズ体９０と２つのＬＥＤ４（図４）とを備えて構成したＬＥＤ光源９１を、高熱伝導性材から形成されたマウント基板９２にマウントして構成されており、上記レンズ体９０の形状を調整することで配光特性が制御可能に構成されている。
【００３３】
かかる光源３においては、両側の第１ＬＥＤユニット３Ａ及び第２ＬＥＤユニット３Ｂが街路の進行及び後退方向を照明し、中央の第３ＬＥＤユニット３Ｃが電柱６から街路の横断方向を照明する。これにより、街路に沿った広い範囲が照明される。
また、街路進行方向及び後退方向を照明する第１ＬＥＤユニット３Ａ及び第２ＬＥＤユニット３Ｂのそれぞれの配光が狭角配光とされることで、防犯灯１００から遠方で十分な輝度を維持可能とされており、また、街路の横断方向を照明する第３ＬＥＤユニット３Ｃの配光を広角配光とすることで防犯灯１００の近傍を広く照射することで照度が街路の進行方向と同程度に抑えられている。これにより照射範囲の全体に亘り照度ムラが抑制されている。
【００３４】
また、電柱６には、本体８１とは別体に太陽電池５が固定されている。この太陽電池５が日照のある昼間に生成した電力は、電源装置１０のバッテリ電源１６（図１）に充電され、光源３の非常点灯時に使用されることとなる。
【００３５】
以上説明したように、本実施の形態によれば、商用電源１から光源３への電力供給が停止したときに、バッテリ電源１６の蓄電電力により光源３を非常点灯するため、非常時専用の光源を必要としない。
また、受光センサ３８が明るさを検出した場合、蓄電電力による光源３の非常点灯を停止するため、周囲が明るいときに光源３を点灯することを防止してバッテリ電源１６の消費電力を節約できる。
【００３６】
また、本実施の形態によれば、バッテリ電源１６を充電する太陽電池５を備え、夜間はバッテリ電源１６の充電を停止する構成とした。この構成により、日照のない夜間に、太陽電池５によりバッテリ電源１６を充電するための昇圧回路５１や定電圧制御回路５４の電力を節約できる。
【００３７】
また、本実施の形態によれば、光源３がＬＥＤ４であるため、光源３の寿命が長く、消費電力が少ないので、光源３のメンテナンス及びランニングコストを抑えることができる。また、光源３は、寿命（光源３の光量が所定値以下）となっても不点灯とならないので、商用電源１の停電時に暗闇となることを防止できる。さらに、ＬＥＤ４を光源としたため、ランプを光源としランプを覆う反射板を備えた従来の防犯灯に比べて、小型・軽量化が可能になる。
【００３８】
上述した実施の形態は本発明の一態様であり、本発明の趣旨を逸脱しない範囲において適宜変更可能であるのは勿論である。
例えば、上記実施の形態では、非常点灯停止を判定するための受光センサ３８と、太陽電池によるバッテリ電源の充電の停止を判定するための受光センサ４１とを個別に備えていたが、共通の１つの受光センサを備えてもよい。
【００３９】
また、上記実施の形態では、光源に、防犯灯の基準を満たすような比較的高輝度のＬＥＤを用いたが、光源は高輝度ＬＥＤに限定されるものではなく、他の光源であってもよい。この場合、バッテリ電源及びその他の電源装置を光源に適合させればよい。
【００４０】
また、上記実施の形態では、屋外用照明装置として防犯灯を例示したが、これに限らず、例えば非常灯や誘導灯の他、設置基準が規定されない屋外用照明装置にも本発明を適用可能である。
【符号の説明】
【００４１】
１  商用電源
３  光源
４  ＬＥＤ
５  太陽電池
１４  点灯回路
１６  バッテリ電源
１８  非常点灯回路
３０  切替回路（非常点灯停止部）
３８  受光センサ
１００  防犯灯（屋外用照明装置）
【図１】
2012248446.tif 000003
【図２】
2012248446.tif 000004
【図３】
2012248446.tif 000005
【図４】
2012248446.tif 000006
【図５】
2012248446.tif 000007
【図６】
2012248446.tif 000008